(57)【要約】      （修正有）【課題】別途計量器具を用意しなくても適量の塩により適切な発電を行うことができる水と塩による発電装置を提供する。【解決手段】プラス極とマイナス極との間に塩水を貯留する水槽を備えて水と塩で発電する発電部と、発電部から取り出した電力を使用する負荷（懐中電灯又はランタンとして機能する発光部９、１０）とを筐体内に備え、筐体の一部に塩の適量を計量するための計量くぼみ１３を備える。【選択図】図１
0003221758.tif 000002
【実用新案登録請求の範囲】
【請求項１】
水と塩で発電する発電部と、この発電部から取り出した電力を使用する負荷とを筐体内に備え、当該筐体の一部に前記塩の適量を計量するための計量くぼみを備えた、発電装置。
【請求項２】
請求項１に記載の発電装置において、前記筐体の底部を開放し前記発電部の水槽内にアクセス可能とする底蓋を備えた、発電装置。
【請求項３】
請求項１又は２に記載の発電装置において、前記負荷として懐中電灯又はランタンとして機能する発光部を備えた、発電装置。
【請求項４】
請求項１，２又は３に記載の発電装置において、前記負荷として外部機器を接続する接続部を備え、当該接続部に接続した外部機器に前記電力を供給する、発電装置。
【考案の詳細な説明】
【技術分野】
【０００１】
本考案は、発電装置に係り、特に、水と塩で発電する発電装置に関する。
【背景技術】
【０００２】
一方の面を空気に接し他方の面を塩水に接したプラス電極板（炭素）を備え、当該塩水に金属棒（マグネシウム）を浸すと、当該金属棒のイオンが溶け出してプラス電極板に移動する。これにより、プラス電極板をプラス極とし、金属棒をマイナス極とする電池が構成され、電力を取り出すことができる（例えば、特許文献１）。
【先行技術文献】
【特許文献】
【０００３】
【特許文献１】特開２０１５−８２４９７号公報
【考案の概要】
【考案が解決しようとする課題】
【０００４】
本考案は、上述した発電方法を応用して取り出した電力を使用する発電装置の提供を課題とする。
【課題を解決するための手段】
【０００５】
本考案は、水と塩で発電する発電部と、この発電部から取り出した電力を使用する負荷とを筐体内に備え、当該筐体の一部に前記塩の適量を計量するための計量くぼみを備えた、という構成を採っている。
この計量くぼみで塩の適量を計り、発電部の水槽に水と共に投入すると、別途計量器具を用意しなくても適量の塩により適切な発電を行うことができる。
【０００６】
また、他の本考案は、上記構成において、前記筐体の底部を開放し前記発電部の水槽内にアクセス可能とする底蓋を備えた、という構成を採っている。
発電部の水槽内には発電により固形物（反応物）が固まるので、クリーニングが必要になる。底蓋を外して筐体の底部を開放することで発電部の水槽内にアクセス可能となるので、クリーニングが容易になる。
【０００７】
更に他の本考案は、上記構成において、上記負荷として懐中電灯又はランタンとして機能する発光部を備えた、という構成を採っている。
発電された電力により発光部を発光させ、照明具として利用することができる。
【０００８】
更に他の本考案は、上記構成において、上記負荷として外部機器を接続する接続部を備え、当該接続部に接続した外部機器に前記電力を供給する、という構成を採っている。
発電された電力により外部機器の充電等が可能になる。
【考案の効果】
【０００９】
このように、本考案によれば、適量の塩と水により筐体内で発電することができ、その電力を負荷に用いる発電装置を提供することができる。
【図面の簡単な説明】
【００１０】
【図１】図１は、本考案の実施形態を示す第１の正面斜視図である。
【図２】図２は、本考案の実施形態を示す第２の正面斜視図である。
【図３】図３は、本考案の実施形態を示す背面図である。
【図４】図４は、本考案の実施形態を示す発電部の概略構成図である。
【考案を実施するための形態】
【００１１】
以下、本考案の実施形態を図面を参照して説明する。本実施形態の発電装置（照明装置及び充電装置を兼ねる）は、図１の正面斜視図に示す外観を呈する。発電装置の筐体は円筒状に形成され、上から頭部１、首部２、胴部３及び底蓋４を備えている。
【００１２】
頭部１は、上面の中央に設けられた通気穴１１と、上面の背面寄りに設けられた押しボタンスイッチ１２と、塩の適量を計量するための計量くぼみ１３とを備えている。また、頭部１の正面には略長方形の透明窓が設けられ、その中に第１発光部９が装備されている。第１発光部９は、ロボットの目のように２つの電球を備えており、発電装置の筐体全体がロボットをイメージさせる外観になっている。筐体は防水性を有している。通気穴１１はカバーにより開閉できるようになっている。
【００１３】
首部２は、全周を透光性のある素材で形成されており、首部２の全周を発光させる第２発光部１０を内部に備えている。本実施形態において各発光部９，１０の発光体はＬＥＤである。また、首部２の右側面と左側面には、取っ手５の回動支点が設けられている。
【００１４】
胴部３の正面と背面には発電に必要な空気（酸素）を取り込むための多数の通気穴が開けられている。
【００１５】
頭部１は、首部２から取り外せるようになっている。また、底蓋４は、胴部３から取り外せるようになっている。
【００１６】
取っ手５は、Ｕ字状に形成され、首部２の回動支点に固定されている。取っ手５は、回動支点を中心に図２に示すように持ち上がり、ランタンハンガー等に引っ掛けることができる。また、取っ手５の回動支点付近には、ストラップホール５ａが形成され、両側面間にストラップを架け渡すこともできる。
【００１７】
図３は、背面を示しており、頭部１の背面には外部機器を接続する接続部６が設けられている。本実施形態において、接続部６はＵＳＢコネクタであり、カバーにより開閉できるようになっている。
【００１８】
胴部３には、図４に概略を示す発電部７が内蔵されている。発電部７は、適量の水と塩から成る塩水を貯留する水槽７１と、この水槽７１を２つの室に仕切る間仕切り７２と、これら２つの室にそれぞれ挿入され塩水に浸される金属棒７３とを備えている。
【００１９】
水槽７１は、管状の側面を炭素で形成され、内面は塩水に接し、外面は胴部３の通気穴を通る外気に接して酸素を取り込むようになっている。これにより、水槽７１の側面部材は、プラス極として機能する。水槽７１の底面は、底蓋４を閉塞することによって閉塞されるようになっている。金属棒７３は、マグネシウムで形成されマイナス極として機能する。このように構成された水槽７１の各室内に適切な濃度の塩水を貯留すると、マイナス極からプラス極にイオンが移動し、両極間から電力を取り出すことができる。
【００２０】
制御部８は、発電部７から取り出した電力により第１発光部９又は第２発光部１０を発光させ、また、同電力により接続部６に接続された外部機器を充電する。制御部８には、スイッチ１２が接続され、このスイッチ１２の操作に応じて、発光、消灯、発光させる発光部の切り替え及び発光の明るさの切り替えができるようになっている。
【００２１】
使用者は、首部２から頭部１を取り外すと、水槽７１の内部を覗くことができ、ここに、予め計量された又は頭部１の計量くぼみ１３を利用して計量した適量の塩と水とを上方から水槽７１内に注ぐ。次に、２つの室に対応する２本の金属棒７３を装着した金属棒アセンブリを上方から挿入し、金属棒７３を水槽７１内の塩水に浸す。金属棒アセンブリを上方から挿入することにより、水槽７１の上部が覆われるようになっている。金属棒７３を水槽７１内の塩水に浸すことにより発電部７で発電が開始される。
【００２２】
スイッチ１２が操作されると、制御部８は、当該操作に応じて、第１発光部９（頭部窓）を発光させ、又は第２発光部１０（首部全周）を発光させ、又は発光の明るさを調整し、又は消灯させる。また、制御部８は、接続部６に外部機器が接続されると、発電部７が発電した電力により外部機器を充電する。
【００２３】
発電により水槽７１内に固まった反応物を除去する際は、頭部１を開放して上方から水槽７１内にアクセスすると共に、底蓋４を開放して下方からも水槽７１内にアクセスすることができる。このため、一方からの作業に比べ、両側からの作業により水槽７１内の反応物を除去しやすい。
【００２４】
以上説明した本実施形態によれば、計量くぼみ１３で塩の適量を計り、発電部７の水槽７１に水と共に投入することにより、別途計量器具を用意しなくても適量の塩により適切な発電を行うことができる。また、海水での発電も可能である。消耗した金属棒７３と塩水とを交換することで発電装置を繰り返し使用することができる。
【００２５】
また、頭部１と底蓋４とを外して、上方と下方の両側から水槽内にアクセス可能となるので、クリーニングが容易になる。
【００２６】
更に、発電だけでなく、発電された電力により発光部を発光させ、照明具として利用することができる。頭部窓の発光により懐中電灯として、首部全周の発光によりランタンとして使用することができる。
【００２７】
これに加え、発電された電力によりスマートフォン等の外部機器の充電等が可能である。このように、従来にない優れた発電装置を提供することができる。
【００２８】
ここで、本考案は、上記の実施形態に限られず、実用新案登録請求の範囲に記載した権利範囲を有する。
【符号の説明】
【００２９】
１  頭部
２  首部
３  胴部
４  底蓋
５  取っ手
５ａ  ストラップホール
６  接続部
７  発電部
８  制御部
９  第１発光部
１０  第２発光部
１１  通気穴
１２  スイッチ
１３  計量くぼみ
７１  水槽
７２  間仕切り
７３  金属棒
【図１】
0003221758.tif 000003
【図２】
0003221758.tif 000004
【図３】
0003221758.tif 000005
【図４】
0003221758.tif 000006
【手続補正書】
【提出日】平成31年4月11日(2019.4.11)
【手続補正１】
【補正対象書類名】実用新案登録請求の範囲
【補正対象項目名】請求項１
【補正方法】変更
【補正の内容】
【請求項１】
マイナス極とプラス極との間に塩水を貯留する水槽を備えた発電部と、この発電部から取り出した電力を使用する負荷とを筐体内に備え、当該筐体の一部に前記塩水を成す塩の適量を計量するための計量くぼみを備えた、発電装置。